(57)【要約】【課題】  ボタン電話機毎の受話音質調整状態を、使用する外線毎に設定可能にし、利用者の好みや設置場所による用途への適合を図ると共に、外線の種類に応じて最適な受話音質にする。【解決手段】  １以上の外線および複数の内線を有し、受話音質調整状態データを記憶する状態記憶手段Ｆ４４と、受話音質調整状態データをボタン電話機２０が通話状態になったときに送信する状態データ送信手段Ｆ４０を備えたボタン電話主装置１０と、周波数帯域フィルタ２６と、音質調整キー３１と、ボタン電話主装置１０から受話音質調整状態データを受信するデータ送受信手段Ｆ５０と、状態制御手段Ｆ５２とを備えた複数のボタン電話機２０とからなるボタン電話装置において、ボタン電話主装置１０から受話音質調整状態データを送信し、これをボタン電話機２０で受信すると、受話音質調整状態データＦ５１を上書き設定する。【選択図】        図３
2005150909.tif 000002
【特許請求の範囲】
【請求項１】
１以上の外線および複数の内線を有するボタン電話主装置と、前記内線に接続されるとともに受話音質調整部を有する複数のボタン電話機とからなるボタン電話装置において、
前記ボタン電話主装置が、前記ボタン電話機毎の受話音質調整状態を設定・記憶しておく状態記憶手段と、前記ボタン電話機が通話状態になったとき、該ボタン電話機に対応した前記状態記憶手段の内容を該ボタン電話機に送信する状態データ送信手段とを備え、
前記ボタン電話機が、前記ボタン電話主装置から前記状態データ送信手段により送信された受話音質調整状態を受信すると前記受話音質調整部に受話音質調整状態を設定する状態制御手段とを備えた
ことを特徴とするボタン電話装置。
【請求項２】
請求項１記載のボタン電話装置において、
前記ボタン電話主装置の前記状態記憶手段は、前記ボタン電話機が外線通話中に受話音質調整部の操作による受話音質調整状態を、該ボタン電話機と対応させた外線毎に設定・記憶しておく状態記憶手段であることを特徴とするボタン電話装置。
【請求項３】
１以上の外線および複数の内線を有するボタン電話主装置と、前記内線に接続されるとともに受話音質調整部を有する複数のボタン電話機とからなるボタン電話装置を構成するボタン電話主装置において、
前記ボタン電話機毎の受話音質調整状態を前記ボタン電話機が外線通話中に受話音質調整部の操作による受話音質調整状態を、該ボタン電話機と対応させた外線毎に設定・記憶しておく状態記憶手段と、
前記ボタン電話機が通話状態になったとき、該ボタン電話機に対応した前記状態記憶手段の内容を該ボタン電話機に送信する状態データ送信手段とを備えた
ことを特徴とするボタン電話主装置。
【請求項４】
１以上の外線および複数の内線を有するボタン電話主装置と、前記内線に接続されるとともに受話音質調整部を有する複数のボタン電話機とからなるボタン電話装置を構成するボタン電話機において、
前記ボタン電話主装置から前記状態データ送信手段により送信された受話音質調整状態を受信すると前記受話音質調整部に受話音質調整状態を設定する状態制御手段とを備えた
ことを特徴とするボタン電話機。
【発明の詳細な説明】
【技術分野】
【０００１】
本発明は、受話音質の調整機能を備えたボタン電話装置に関し、特に電話機毎に受話音質を設定できるようにしたボタン電話装置に関するものである。
【背景技術】
【０００２】
ボタン電話装置における受話音の調整機能としては、受話音の音量（大きさの制御）を調整できる機能（以下、受話音量調整機能という）と、受話音の音質（音声周波数帯域の制御）を調整できる機能（以下、受話音質調整機能という）があり、受話音量調整機能は一般的に使用されている。一方、受話音質調整機能については、周囲騒音によって音声周波数帯域を自動的に切替できるものが提案されている（例えば、特許文献１参照）。
【０００３】
しかしながら、このような受話音質調整機能は、移動電話機に関しては有効であるが、一般家庭や事務所等で固定的に使用するボタン電話機では必要性が少なく、利用価値が低かった。
【０００４】
さらに、ボタン電話機の内部で単独に受話音質調整機能を実施しており、ボタン電話装置等の構内電話システムに適用した場合、外線の種類（一般アナログ回線、ＩＳＤＮ回線、専用線、ＶｏＩＰ（Ｖｏｉｃｅ  ｏｖｅｒ  Ｉｎｔｅｒｎｅｔ  Ｐｒｏｔｏｃｏｌ）回線、等）や、利用者の好み、及び設置場所による用途によっては充分に適合できない状況が発生している。
【０００５】
すなわち、ボタン電話機の設置場所が騒がしいところでは、受話音質調整は低周波数側（低音域）を強調し、受話音の音質を軟らかいものとして聞きやすくする必要があるし、逆に、設置場所が静かなところでは受話音質調整は標準としておけば良い。また、外線の種類によって、専用線やＶｏＩＰ回線を使用する場合は、一般回線やＩＳＤＮ回線に比べて、音質を調整して聞きやすい音にする必要がある。
【特許文献１】特開平７−２７３８４０号公報
【発明の開示】
【発明が解決しようとする課題】
【０００６】
本発明は、ボタン電話装置等の構内電話システムで、受話音質調整機能を備えたボタン電話機を使用したときに、ボタン電話主装置で、ボタン電話機毎の受話音質調整状態を設定可能にし、利用者の好みや、設置場所による用途への適合を図ると共に、ボタン電話機が故障し、代品交換した場合にも、受話音質調整状態を再設定せずに運用可能とすることを第１の目的とする。
【０００７】
また、本発明は、ボタン電話機が外線通話中に受話音質調整部の操作を行った場合、その受話音質調整状態を、該ボタン電話機と対応させた外線毎にボタン電話主装置に記憶しておき、次の外線通話を行ったときに、記憶していた該ボタン電話機と対応させた外線毎の受話音質調整状態を再設定し、外線の種類に応じて最適な受話音質にすることを第２の目的とする。
【課題を解決するための手段】
【０００８】
上記課題を解決するために、本発明は、１以上の外線および複数の内線を有するボタン電話主装置と、前記内線に接続されるとともに受話音質調整部を有する複数のボタン電話機とからなるボタン電話装置において、前記ボタン電話主装置が、前記ボタン電話機毎の受話音質調整状態を設定・記憶しておく状態記憶手段と、前記ボタン電話機が通話状態になったとき、該ボタン電話機に対応した前記状態記憶手段の内容を該ボタン電話機に送信する状態データ送信手段とを備え、前記ボタン電話機が、前記ボタン電話主装置から前記状態データ送信手段により送信された受話音質調整状態を受信すると前記受話音質調整部に受話音質調整状態を設定する状態制御手段とを備えたことを特徴とする。
【０００９】
また、本発明は、前記ボタン電話主装置の前記状態記憶手段は、前記ボタン電話機が外線通話中に受話音質調整部の操作による受話音質調整状態を、該ボタン電話機と対応させた外線毎に設定・記憶しておく状態記憶手段であることを特徴とする。
【発明の効果】
【００１０】
本発明によれば、ボタン電話装置等の構内電話システムで、受話音質調整機能を備えたボタン電話機を使用したときに、ボタン電話機毎の利用者の好みや、設置場所による用途に応じて、ボタン電話機の受話音質調整状態を設定することができ、受話音質調整状態はボタン電話主装置に記憶され、外線通話時にボタン電話機へ送られることにより、ボタン電話機が故障し、代品交換した場合にも、受話音質調整状態を再設定せずに運用できる。
【００１１】
また、本発明によれば、ボタン電話機で外線通話中に受話音質調整部の操作を行った場合、その受話音質調整状態を、該ボタン電話機と対応させた外線毎にボタン電話主装置に記憶しておき、次に外線通話を行ったときに、記憶していた受話音質調整状態を再設定し、常に最適な受話音質調整状態で運用できる。
【発明を実施するための最良の形態】
【００１２】
以下、本発明の実施形態について説明する。なお、以下の実施形態では、ボタン電話装置としてボタン電話主装置と該主装置に接続された有線式ボタン電話機を例にあげて説明する。しかし、本発明はこれに限定されない。例えば、有線式ボタン電話機の代わりに無線式ボタン電話機を用いることができる。また、本発明は、ボタン電話装置で実施するだけでなく、ボタン電話機を収容する構内交換装置で実施してもよい。なお、ＶｏＩＰ回線は、ＶｏＩＰアダプタを使用し一般アナログ回線、またはＩＳＤＮ回線に収容する形態も含まれる。
【００１３】
図１は、本発明に係るボタン電話装置を構成する１以上の外線および複数の内線を有するボタン電話主装置１０の構成概略図である。図２は、本発明に係るボタン電話装置を構成する前記内線に接続されるボタン電話機２０の構成概略図である。図３は、本発明の中央制御部１１と、記憶部１６と、制御部２１の機能ブロック図である。図４は本発明のボタン電話主装置１０の中央制御部１１の各手段の概略フローチャートである。図５は、本発明のボタン電話機２０の制御部２１内の概略フローチャートである。
【００１４】
まず、図１を用いてボタン電話主装置１０の構成の概要を説明する。ボタン電話主装置１０は、中央制御部１１と、通話路スイッチ１２と、１以上の外線回路１３−１〜１３−ｎと、トーン送出部１４と、複数の内線回路１５−１〜１５−ｎと、記憶部１６を有して構成される。
【００１５】
中央制御部１１は、ボタン電話主装置１０の各回路からの入力情報（ボタン電話機１５−１〜１５−ｎからの情報も含む）に対する解析や判断、記憶部１６に対する情報の入出力、各回路の制御を行う。
【００１６】
通話路スイッチ１２は、ボタン電話主装置１０内の交換処理（外線と内線の接続、各音源の内線、外線への接続）を行う。
【００１７】
外線回路１３−１〜１３−ｎは、外線（一般アナログ回線、ＩＳＤＮ回線、専用線、ＶｏＩＰ回線等）に接続されるインタフェース回路である。
【００１８】
トーン送出部１４は、内線にダイヤルトーンや話中音を送出するとき、および外線へ保留音を送出するとき等に、通話路スイッチ１２を経由して外線や内線に接続される。
【００１９】
内線回路１５−１〜１５−ｎは、ボタン電話機２０−１〜２０−ｎと、音声データ、制御データの通信を行うためのインタフェース回路である。
【００２０】
記憶部１６は、通常の記憶部としての働きの他に、ボタン電話機２０−１〜２０−ｎ毎の受話音質調整状態、及びボタン電話機２０−１〜２０−ｎと対応させた外線回路１３−１〜１３−ｎ毎の受話音質調整状態を記憶しておく働きを有している。
【００２１】
次に、図２を用いてボタン電話機２０の構成の概要を説明する。ボタン電話機２０は、制御部２１と、データ送受信回路２２と、音声処理部２３と、スピーカ２４と、送受話器２５と、周波数帯域フィルタ２６と、ＬＣＤ表示器２７と、ダイヤルキー２８と、外線キー２９と、機能キー３０と、音質調整キー３１を有して構成される。
【００２２】
制御部２１は、ボタン電話機２０内の各回路からの入力情報に対する解析や判断、各回路の制御を行い、周波数帯域フィルタ２６の制御を行う。
【００２３】
データ送受信回路部２２は、ボタン電話主装置１０の内線回路１５−１〜１５−ｎに接続され、音声データ、制御データの通信を行うためのインタフェース回路である。
【００２４】
音声処理部２３は、音声のデジタル／アナログ変換、アナログ／デジタル変換と、ボタン電話機２０内のスピーカ２４や送受話器２５等との通話路切替および音量（音の大きさ）を制御する。
【００２５】
スピーカ２４は、外線や内線の着信音送出や、スピーカによる拡声受話に使用する。
【００２６】
送受話器２５は、一般的な通話時の送話、受話を行うためのハンドセットである。
【００２７】
周波数帯域フィルタ２６は、受話音声の周波数帯域を選択するためのフィルタであり、受話音声の周波数を高周波数帯域に制限する高域フィルタと、低周波数帯域に制限する低域フィルタとで構成され、各フィルタは各々独立して選択することができる。すなわち、高域フィルタのみを選択した場合には、音声処理部２３から出力される信号のうち高周波数側が通過されて送受話器２５から受話音声として出力されるため、高周波数側（高音域）が強調され、聞き取り易い受話音声となり。逆に、低域フィルタのみを選択した場合には、低周波数側（低音域）が強調され、受話音声の音質が軟らかいものとなる。また、高域フィルタと低域フィルタの両方を選択した場合には、通常の音質（フラット特性）となる。
【００２８】
ＬＣＤ表示器２７は、ボタン電話機２０から外線に発信したときの相手電話番号、通話時間、通話料金等の表示を行う。
【００２９】
ダイヤルキー２８は、相手電話番号の入力に使用する。また、各種設定の入力手段としても用いられる。
【００３０】
外線キー２９は、複数ある外線から使用したい外線を選択するためのボタンである。
【００３１】
機能キー３０は、ボタン電話装置で一般的に使用する保留や拡声受話、各種設定への移行等のボタンである。
【００３２】
音質調整キー３１は、通話中の受話音声の音質を高音域にするか、低音域にするか、フラット特性にするかの選択に用いるボタンであり、その押下によって順次音質特性を選択していく。音質調整キー３１は、独立したキーとして設けてもよく、他のキーを特別な操作（例えば、＊キーと図示を省略した音量調整キーを同時に押下するなどの操作）をすることによって音質調整キーとしての機能を達成してもよい。
【００３３】
次に、図３を用いて、ボタン電話主装置１０の中央制御部１１内と、記憶部１６内の機能構成の概要、およびボタン電話機２０の制御部２１内の機能構成の概要を説明する。なお、図３は、本発明に関係する部分のみを図示してある。
【００３４】
また、図３では、ボタン電話主装置１０の記憶部１６内の状態記憶手段Ｆ４４は、ボタン電話機２０が外線通話中に、音質調整キー３１の操作による受話音質調整状態（高音域、フラット特性、低音域のいずれか）を該ボタン電話機と対応させた外線毎に記憶しておくことで説明するが、このような構成ではなくて、ボタン電話機毎に受話音質調整状態を予め設定・登録しておくことで実施できることは自明である。
【００３５】
図３において、ボタン電話主装置１０の中央制御部１１は、データ送受信手段Ｆ４０と、状態データ送信手段Ｆ４１と、通話状態判定手段Ｆ４２とを有している。また、ボタン電話主装置１０の記憶部１６は、受話音質調整状態送信要求Ｆ４３と、状態記憶手段Ｆ４４とを有している。一方、ボタン電話機２０の制御部２１は、データ送受信手段Ｆ５０と、受話音質調整状態データＦ５１と、状態制御手段Ｆ５２と、音質調整入力手段Ｆ５３とを有している。
【００３６】
ボタン電話主装置１０の中央制御部１１内のデータ送受信手段Ｆ４０は、図示していない周期起動手段により一定周期（例えば、１００ミリ秒）で起動され、内線回路１５を経由し、ボタン電話機２０と各種データの送受信を行っている。本発明に係る処理内容としては、ボタン電話機２０の音質調整キー３１の入力を監視する音質調整入力手段Ｆ５３が音質調整キー３１を検出し、受話音質調整を行ったデータを受信すると、記憶部１６の該ボタン電話機に対応した外線毎の状態記憶手段Ｆ４４に受話音質調整状態データを記憶すると共に、受話音質調整状態送信要求Ｆ４３をセットする。また、状態データ送信手段Ｆ４１より、ボタン電話機２０に送信すべき受話音質調整状態データを受け取ると、内線回路１５を経由してボタン電話機２０へ受話音質調整状態データを送信する機能を持った手段である。
【００３７】
状態データ送信手段Ｆ４１は、ボタン電話機２０（２０−１〜２０−ｎ）に対応した記憶部１６の受話音質調整状態送信要求Ｆ４３がセットされていることを検出すると、状態記憶手段Ｆ４４に記憶されている該ボタン電話機に対応した外線毎の受話音質調整状態データの送信を、データ送受信手段Ｆ４０に通知すると共に、受話音質調整状態送信要求Ｆ４３をリセットする機能を持った手段である。
【００３８】
通話状態判定手段Ｆ４２は、ボタン電話機２０が通話状態になったことを検出すると、該ボタン電話機に対応する記憶部１６の受話音質調整状態送信要求Ｆ４３をセットする機能を持った手段である。
【００３９】
記憶部１６内の受話音質調整状態送信要求Ｆ４３は、ボタン電話機２０（２０−１〜２０−ｎ）毎に設けられており、対応のボタン電話機２０が通話状態になったときに、中央制御部１１内の通話状態判定手段Ｆ４２、及びデータ送受信手段Ｆ４０が受話音質調整状態データを受信したときにセットされる記憶手段である。
【００４０】
状態記憶手段Ｆ４４は、ボタン電話機２０（２０−１〜２０−ｎ）毎に設けられ、内訳としては、外線回路１５−１〜１５−ｎ毎の受話音質調整状態データ（高音域、フラット特性、低音域のいずれか）と、内線相互通話時の受話音質調整状態データから構成される記憶手段である。
【００４１】
ボタン電話機２０の制御部２１内のデータ送受信手段Ｆ５０は、ボタン電話主装置１０からのポーリング要求を検出し、データの送受信を行う手段である。
【００４２】
受話音質調整状態データＦ５１は、データ送受信手段Ｆ５０が受信した受話音質調整状態データ（高音域、フラット特性、低音域のいずれか）を記憶する手段である。
【００４３】
状態制御手段Ｆ５２は、受話音質調整状態データＦ５１に記憶されている受話音質調整状態を周波数帯域フィルタ２６に指示する。また、図示していないが、受話音量切替による受話音量状態を音声処理部１２に指示する機能も併せ持った手段である。
【００４４】
音質調整入力手段Ｆ５３は、通話中に音質調整キー３１の押下により、受話音声の音質を、高音域、フラット特性、低音域（以下、押下の度に繰り返す）と順次切替え、受話音質調整データＦ５１を上書きすると共に、データ送受信手段Ｆ５０に受話音質調整データの送信を通知する機能を持った手段である。
【００４５】
次に、図４を用いて、ボタン電話主装置１０の中央制御部１１内の状態データ送信手段Ｆ４１がデータ送受信手段Ｆ４０から内線回路１５を経由し、ボタン電話機２０へ受話音質調整状態データを送信する動作と、データ送受信手段Ｆ４０がボタン電話機２０より受信した受話音質調整状態データを記憶する動作を説明する。なお、図４は、本発明に関係する部分を主体に図示してある。
【００４６】
ボタン電話主装置１０は、複数のボタン電話機２０−１〜２０−ｎに対する処理を一定周期（例えば、１００ミリ秒）で順次行っており、図４に示す通り１台のボタン電話機へのデータ送受信が終了すると、次電話機の送受信処理に移行するが、以下の説明では「次電話機の送受信処理」への移行部分については説明を省略し、１台のボタン電話機に対する処理に限定している。
【００４７】
データ送受信手段Ｆ４０は、図示していないが、最初に内線回路１５経由でボタン電話機２０を起動する（ポーリング処理という）。その結果、ボタン電話機２０より内線回路１５経由で、データが送信されてくる。この送信されてきたデータを受信すると、受話音質調整状態データを受信したかの判定を行う（Ｓ６０）。
【００４８】
受話音質調整状態データを受信した場合、データ送受信手段Ｆ４０は、記憶部１６の状態記憶手段Ｆ４４の中の、該ボタン電話機に対応した外線回路１５−１〜１５−ｎに対応したメモリに受話音質調整状態データを記憶させる（Ｓ６１）。なお、該ボタン電話機が内線相互通話中の場合は、内線相互通話時のメモリに記憶させる。さらに、記憶部１６にボタン電話機毎に設けられている、受話音質調整状態送信要求をセットする（Ｓ６２）。
【００４９】
状態データ送信手段Ｆ４１は、記憶部１６の受話音質調整状態送信要求がセットされているかを判定し（Ｓ６４）、セットされている場合は、対応ボタン電話機の対応外線メモリ（内線相互通話中の場合は、内線相互通話時のメモリ）に記憶されている受話音質調整状態データを、データ送受信手段Ｆ４０に引き渡し、内線回路１５経由でボタン電話機２０へ送信する（Ｓ６５）。また、セットされていた受話音質調整状態送信要求Ｆ４３をリセットし（Ｓ６６）、次周期での二重送信を防止する。
【００５０】
受話音質調整状態データ受信か？の判定（Ｓ６０）で、受話音質調整状態データ以外を受信した場合、他の受信データ処理を行う（Ｓ６３）。
【００５１】
受話音質調整状態送信要求有り？の判定（Ｓ６４）で、受話音質調整状態の送信要求がセットされてなかった場合、他のデータをボタン電話機へ送信する（Ｓ６７）。
【００５２】
次に、図５を用いて、ボタン電話機２０の制御部２１内の処理を説明する。図５は、本発明に関する手段を主体に図示してある。
【００５３】
電源投入で処理が開始され、制御部２１は各種初期設定（図示していない）を行い、その初期設定の中で、受話音質調整状態データＦ５１に初期値（例えば、フラット特性）を設定する（Ｓ７０）。
【００５４】
初期設定が終了すると通常処理に移行し、ボタン電話主装置１０からのポーリング要求が有るかの判定を行う（Ｓ７１）。このポーリング処理とは、ボタン電話主装置１０から一定周期（例えば、１００ミリ秒）毎に、データ送受信の要求が来ること、すなわちボタン電話機２０は、ボタン電話主装置１０に従属してデータ送受信を行っていることを示す。
【００５５】
ボタン電話主装置１０からのポーリング要求が有った場合、ボタン電話機２０は、ボタン電話主装置１０との間で、データ送受信を行う（Ｓ７２）。次に、受信したデータが受話音質調整状態かの判定を行う（Ｓ７３）。
【００５６】
受話音質調整状態を受信した場合、ステップＳ７０で初期設定した受話音質調整状態データＦ５１に、受信した受話音質調整状態データを上書き設定する（Ｓ７４）。その後、通常処理の先頭（Ｓ７１）に移行する。
【００５７】
ステップＳ７３で受話音質調整状態を受信しなかった場合（他のデータ、例えば、ＬＣＤ表示器２７への表示文字）、他の受信データ処理を行い（Ｓ７５）、その後、通常処理の先頭（Ｓ７１）に移行する。
【００５８】
ステップＳ７１で、ボタン電話主装置１０からのポーリング要求がなかった場合、制御部２１は、ボタン電話機２０の内部処理に移行し、受話音質調整状態データＦ５１の内容（高音域、フラット特性、低音域のいずれか）に従い、周波数帯域フィルタ２６へ出力する（Ｓ７６）。次に、音質調整キー３１が押下されたかの判定を行う（Ｓ７７）。
【００５９】
音質調整キー３１が押下されていない場合、他の処理（ダイヤルキー、外線キー、機能キー、等の押下確認）を行い（Ｓ８１）、その後、通常処理の先頭（Ｓ７１）に移行する。
【００６０】
ステップＳ７７で、音質調整キー３１が押下された場合、受話音質調整状態データＦ５１の内容（高音域、フラット特性、低音域のいずれか）を変更（例えば、高音域の場合はフラット特性へ、フラット特性の場合は低音域へ、低音域の場合は高音域へ）し（Ｓ７８）、受話音質調整状態データＦ５１に、変更した受話音質調整状態データを上書き設定する（Ｓ７９）。また、変更したことをボタン電話主装置１０へ通知するため、受話音質調整状態データのデータ送信要求をセットする（Ｓ８０）。これにより次回のボタン電話主装置１０とのデータ送受信（Ｓ７２）で、受話音質調整状態データがボタン電話主装置１０へ送信される。
【図面の簡単な説明】
【００６１】
【図１】本発明に係るボタン電話装置１０の構成概略図
【図２】本発明に係るボタン電話機２０の構成概略図
【図３】本発明の中央制御部１１と、記憶部１６と、制御部２１の機能ブロック図
【図４】本発明のボタン電話主装置１０の中央制御部１１内のフローチャート
【図５】本発明のボタン電話機２０の制御部２１内のフローチャート
【符号の説明】
【００６２】
１０  ボタン電話主装置
１１  中央制御部
１２  通話路スイッチ
１３  外線回路
１４  トーン送出部
１５  内線回路
１６  記憶部
２０  ボタン電話機
２１  制御部
２２  データ送受信回路
２３  音声処理部
２４  スピーカ
２５  送受話器
２６  周波数帯域フィルタ
２７  ＬＣＤ表示器
２８  ダイヤルキー
２９  外線キー
３０  機能キー
３１  音質調整キー
Ｆ４０  データ送受信手段
Ｆ４１  状態データ送信手段
Ｆ４２  通話状態判定手段
Ｆ４３  受話音質調整状態送信要求
Ｆ４４  状態記憶手段
Ｆ５０  データ送受信手段
Ｆ５１  受話音質調整状態データ
Ｆ５２  状態制御手段
Ｆ５３  音質調整入力手段
【図１】
2005150909.tif 000003
【図２】
2005150909.tif 000004
【図３】
2005150909.tif 000005
【図４】
2005150909.tif 000006
【図５】
2005150909.tif 000007